【事件の表示】
　平成　８年特許願第　　９５４９号「画像情報格納方法及び装置」拒絶査定不服審判事件〔平成　９年　７月３１日出願公開、特開平　９−２００４５７〕について、次のとおり審決する。
【結　論】
　本件審判の請求は、成り立たない。
【理　由】
１　手続きの経緯・本願発明
　本願は、平成８年１月２３日の出願であって、平成１８年５月２日付けで拒絶査定がされ、これに対して同年６月８日に拒絶査定不服審判が請求されたものである。
　本願の発明は、平成１８年７月１０日付けで補正された特許請求の範囲の請求項１ないし１６に記載されたものと認められるところ、その請求項９に記載された発明（以下、「本願発明」という。）は、次のとおりのものである。
「【請求項９】　画像入力手段から入力された画像データの格納先のディレクトリを、ユーザの選択指示に基づいて決定する格納先決定工程と、
　前記格納先決定工程で決定されたディレクトリに格納されている全てのファイルのファイル名を検索し、当該検索されたファイル名のうちで最大の数値を有するファイル名を選び、１０の倍数の数値であって、且つ当該選ばれたファイル名の数値を超える最小の、予め定められた桁数の数値を有するファイル名を生成する生成工程と、
　前記生成工程によって生成されたファイル名を付けて前記画像入力手段から入力された画像データを前記格納先のディレクトリに格納するように制御する格納制御工程とを備えることを特徴とする画像情報格納方法。」
　
２　引用例
　原査定の拒絶の理由で引用された特開平５−１２０８６号公報（以下、「引用例」という。）には次の事項が図面と共に開示されている。（記載箇所は段落番号等で表示）
　ア　「【００１３】
【実施例】以下、図面を参照しながら、この発明の一実施例について説明する。
【００１４】図１は、本例の静止画伝送システムの構成を示すものである。同図において、１−１〜１−ｎはそれぞれポータブル型静止画伝送装置（ＳＦＵ）である。（省略）
【００１５】図１に戻って、２は据置型静止画伝送装置（ＤＩＨ）である。３は伝送装置２に接続されるキーボード、４は伝送装置２に接続されるファイル装置としての光磁気ディスク装置である。」
　イ　「【００６３】図８は、伝送装置１−１が画像セーブ要求を伴って静止画像データを送信する場合における伝送装置２の側の動作を示すものである。
【００６４】まず、画像セーブ要求があるか判断する（ステップ２５１）。画像セーブ要求があるときは、ターミナルＩＤ（端末ＩＤ）、日付、時刻を使用してファイル名を作成する（ステップ２５２）。
【００６５】及び【００６６】（省略）
【００６７】次に、静止画像データを受信したか判断し（ステップ２５４）、受信したときは静止画像データをワークＲＡＭ２０４に格納し（ステップ２５５）、その後にステップ２５２で作成されたファイル名でもって磁気ディスク装置４の磁気ディスクに静止画像データ（静止画ファイル）をセーブ（記録保存）する（ステップ２５６）。
【００６８】（省略）
【００６９】ステップ２５２におけるファイル名の作成は、具体的には図９に示すフローチャートにそって行なわれる。
【００７０】最初に、リアルタイムクロック２０６より出力される日時のデータから日付および時刻を獲得する（ステップ２６１）。
【００７１】ここで、ファイル名は、図１０に示すようにピリオド［．］を挟んだ前半部の［ＴＴＴＴＹＭＤＨ］の８文字の枠と後半部の［ｍｍｎ］の３文字の枠に、後述する所定の英数字が挿入されて決定される。
【００７２】まず、ターミナルＩＤを［ＴＴＴＴ］の箇所に挿入する（ステップ２６２）。この場合、［ＴＴＴＴ］の箇所はターミナルＩＤの桁数と等しい桁数となり、ターミナルＩＤが設定されていないときは、［ＴＴＴＴ］の箇所は空欄となる。次に、「年」の最下位桁を［Ｙ］の箇所に挿入する（ステップ２６３）。次に、「月」を表１に従って変換したものを［Ｍ］の箇所に挿入する（ステップ２６４）。
【００７３】
【表１】（省略）
【００７４】次に、「日」を表１に従って変換したものを［Ｄ］の箇所に挿入する（ステップ２６５）。次に、「時」を表１に従って変換したものを［Ｈ］の箇所に挿入する（ステップ２６６）。次に、「分」の２桁をそれぞれ［ｍｍ］の箇所に挿入する（ステップ２６７）。次に、０を［ｎ］の箇所に挿入する（ステップ２６８）。［ｎ］の箇所は同一「分」に作成されたファイルの作成順を示す通し番号となる。
【００７５】次に、ＣＰＵ２０１の制御によって、上述したように決定されたファイル名で光磁気ディスクのファイル検索をする（ステップ２６９）。この場合、光磁気ディスクの「ディレクトリエントリー」の領域を検索することになる（図１１は光磁気ディスクの記録内容を図示）。この領域には、光磁気ディスクに静止画像データがファイルされるとき、そのファイル名データが記録保存される。
【００７６】ステップ２６９でファイルがあるときは、［ｎ］の箇所を１だけインクリメントし（ステップ２７０）、ステップ２６９に戻って再度決定されたファイル名で光磁気ディスクのファイル検索をする。なお、通し番号が１０以上となるとき［ｎ］は表１に従って１文字の英字とされる。ステップ２６９でファイルがないときは、ファイル名作成動作を終了する。」
　
　前記イの記載によると、引用例には、
「ファイル名は、図１０に示すようにピリオド［．］を挟んだ前半部の［ＴＴＴＴＹＭＤＨ］の８文字の枠と後半部の［ｍｍｎ］の３文字の枠に、後述する所定の英数字が挿入されて決定され、［ｎ］の箇所は同一「分」に作成されたファイルの作成順を示す通し番号となり、
　０を［ｎ］の箇所に挿入し（ステップ２６８）、決定されたファイル名で光磁気ディスクのファイル検索し（ステップ２６９）、ステップ２６９でファイルがあるときは、［ｎ］の箇所を１だけインクリメントし（ステップ２７０）、ステップ２６９に戻って再度決定されたファイル名で光磁気ディスクのファイル検索し、ステップ２６９でファイルがないときは、ファイル名作成動作を終了し、
　ステップ２５２で作成されたファイル名でもって磁気ディスク装置４の磁気ディスクに静止画像データ（静止画ファイル）をセーブ（記録保存）する（ステップ２５６）方法。」の発明（以下、「引用発明」という。）が記載されていると認められる。
　
３　対比
　本願発明と引用発明とを対比する。
　引用例の前掲アの段落【００１５】の「４は伝送装置２に接続されるファイル装置としての光磁気ディスク装置である。」との記載から、引用発明の「磁気ディスク装置４の磁気ディスク」は、光磁気ディスク装置４の光磁気ディスクの意味であることは明らかな事項である。
　格納手段といえる磁気ディスク装置４の磁気ディスクに、画像情報である静止画像データ（静止画ファイル）をセーブ（記録保存）、すなわち格納する方法である引用発明は、本願発明と同じ、「画像情報格納方法」に関するものといえる。
　引用発明の静止画像データが何らかの「画像入力手段から入力された画像データ」であることは明らかな事項である。
　引用発明の「光磁気ディスク」と本願発明の「格納先決定工程で決定されたディレクトリ」とは、いずれも「画像データの格納先」であるといえる。
　引用発明のファイル名を表す［ｍｍｎ］の３文字の枠の、ファイルの作成順を示す通し番号となる［ｎ］の箇所の値は、予め定められた桁数の数値といえる。
　そして、引用発明の「ＣＰＵ２０１の制御によって、決定されたファイル名で光磁気ディスクのファイル検索し（ステップ２６９）、ステップ２６９でファイルがあるときは、［ｎ］の箇所を１だけインクリメントし（ステップ２７０）、ステップ２６９に戻って再度決定されたファイル名で光磁気ディスクのファイル検索し、ステップ２６９でファイルがないときは、ファイル名作成動作を終了」する処理により決定されるファイル名は、検索されたファイル名のうちで最大の数値を有するファイル名に対し、当該ファイル名の数値を超える最小の数値を有するファイル名であることは明らかであるから、当該処理は、「画像データの格納先に格納されているファイル名を検索し、当該検索されたファイル名のうちで最大の数値を有するファイル名を選び、且つ当該選ばれたファイル名の数値を超える最小の、予め定められた桁数の数値を有するファイル名を生成する生成工程」といえる。
　また、引用発明の「ステップ２５２で作成されたファイル名でもって磁気ディスク装置４の磁気ディスクに静止画像データ（静止画ファイル）をセーブ（記録保存）する」処理は、「生成工程によって生成されたファイル名を付けて画像入力手段から入力された画像データを画像データの格納先に格納するように制御する格納制御工程」といえる。
　
　以上を踏まえると、両者の一致点、相違点は以下のとおりである。
【一致点】
　画像データの格納先に格納されているファイル名を検索し、当該検索されたファイル名のうちで最大の数値を有するファイル名を選び、当該選ばれたファイル名の数値を超える最小の、予め定められた桁数の数値を有するファイル名を生成する生成工程と、
　前記生成工程によって生成されたファイル名を付けて前記画像入力手段から入力された画像データを前記画像データの格納先に格納するように制御する格納制御工程とを備える画像情報格納方法。
【相違点】
　相違点１：　本願発明が「画像入力手段から入力された画像データの格納先のディレクトリを、ユーザの選択指示に基づいて決定する格納先決定工程」を備え、画像データの格納先が「格納先決定工程で決定されたディレクトリ」であるのに対し、引用発明が「格納先決定工程」を備えず、画像データの格納先が磁気ディスク装置４の磁気ディスクである点。
　相違点２：　本願発明が画像データの格納先において、「全てのファイルの」ファイル名を検索するのに対し、引用発明が重複する可能性のあるファイル名のみを通し番号の小さな順に検索している点。
　相違点３：　本願発明で生成されるファイル名の数値が「１０の倍数の数値」であるのに対し、引用発明は、ファイル名の数値として予め定められた桁数が１桁であり、ファイル名の数値が「１０の倍数の数値」ではない点。
　
４　当審の判断
　ａ　相違点１について
　光磁気ディスクのような格納手段にデータを格納する際に、予め格納手段を複数のディレクトリに分割し、データを格納する際に、データを格納するディレクトリを指定し、データを指定したディレクトリに格納することは、情報処理の技術分野において周知技術であるから、情報処理の技術分野に属する画像情報格納方法である引用発明に「画像入力手段から入力された画像データの格納先のディレクトリを、ユーザの選択指示に基づいて決定する格納先決定工程」を備え、画像データの格納先を「格納先決定工程で決定されたディレクトリ」とすることは、当業者が適宜なし得る事項といえる。
　ｂ　相違点２について
　重複しないファイル名を生成するために、光磁気ディスクのような格納手段に格納されている全てのファイルのファイル名を検索し、検索されたファイル名と異なるファイル名を決定することは、情報処理の技術分野において周知技術であるから、重複しないファイル名を生成する引用発明において、画像データの格納先の「全てのファイルの」ファイル名を検索して、ファイル名を決定することは、当業者が適宜なし得る事項といえる。
　ｃ　相違点３について
　後から数値を挿入し得るように、通し番号を自動的に付与する際に「１０の倍数の数値」を用いることは、例えば、プログラム言語であるＢＡＳＩＣの行番号を自動的に付与する際に行われるように、情報処理の技術分野において周知技術であり、また、通し番号に割り当てる桁数は、当業者が必要に応じて適宜決定し得る事項であることは明らかであるから、情報処理の技術分野に属する引用発明で、ファイル名の数値のために任意の桁数を予め定め、通し番号として生成されるファイル名の数値を「１０の倍数の数値」とすることは、当業者が容易に想到し得ることといえる。
　
　一方、本願発明の奏する効果を検討してみても、引用例に記載された発明及び周知技術から想定される範囲を越える格別なものとはいえない。
　
５　結論
　以上のとおり、本願発明は、引用例に記載された発明に基づいて当業者が容易に発明をすることができたものであるから、特許法２９条２項の規定により特許を受けることができない。
　したがって、本願は、他の請求項について検討するまでもなく拒絶すべきものである。
　よって、結論のとおり審決する。